(57)【要約】【課題】太陽光照明の管理を行うことで、適切なメンテナンスに資する太陽光照明管理装置等を提供する。【解決手段】太陽光照明管理システム１は、屋内、屋外の明るさをそれぞれ計測する照度計２、４、降雨量を計測する降雨計５、データロガー７、太陽光照明管理装置９を有し、太陽光照明管理装置９は、太陽光による屋内照明の照明効率αとして、屋内と屋外の明るさの比を算出する照明効率算出部９０１と、照明効率αと降雨量Ｒの時間変化を用いて、照明効率低下の検知と照明効率低下の原因の判定を行う判定部９０２と、照明効率低下の原因に応じて、メンテナンスを行った場合のメンテナンス効果ＭＥを算出するメンテナンス効果算出部９０３と、メンテナンス効果ＭＥとメンテナンス費用を表示部９６等に表示させる通知部９０４を有する。【選択図】図３
2015130296.tif 000002
【特許請求の範囲】
【請求項１】
太陽光による屋内照明の照明効率として、屋内と屋外の明るさの比を算出する照明効率算出部と、
前記照明効率の時間変化を用いて、照明効率低下の検知と照明効率低下の原因の判定を行う判定部と、
を有することを特徴とする太陽光照明管理装置。
【請求項２】
照明効率低下の原因に応じて、メンテナンスを行った場合の前記照明効率の上昇幅をメンテナンス効果として算出するメンテナンス効果算出部と、
前記メンテナンス効果と前記メンテナンスにかかるメンテナンス費用を表示させる通知部と、
を更に有することを特徴とする請求項１に記載の太陽光照明管理装置。
【請求項３】
前記判定部は、前記照明効率の時間変化と降雨量の時間変化を用いて、照明効率低下の検知と照明効率低下の原因の判定を行うことを特徴とする請求項１または請求項２に記載の太陽光照明管理装置。
【請求項４】
前記判定部は、前記照明効率が一定期間低下し続け、かつ、降雨後に上昇したかを判定することを特徴とする請求項３に記載の太陽光照明管理装置。
【請求項５】
前記判定部は、前記照明効率が一定期間低下し続け、かつ、降雨後に上昇しなかったかを判定することを特徴とする請求項３または請求項４に記載の太陽光照明管理装置。
【請求項６】
前記判定部は、前記照明効率が所定時間の間に所定幅以上低下したかを判定することを特徴とする請求項１乃至請求項５のいずれかに記載の太陽光照明管理装置。
【請求項７】
屋内と屋外の明るさを計測する明るさ計測装置と、
太陽光照明管理装置と、
を有し、
前記太陽光照明管理装置は、
太陽光による屋内照明の照明効率として、屋内と屋外の明るさの比を算出する照明効率算出部と、
前記照明効率の時間変化を用いて、照明効率低下の検知と照明効率低下の原因の判定を行う判定部と、
を有することを特徴とする太陽光照明管理システム。
【請求項８】
コンピュータが、
太陽光による屋内照明の照明効率として、屋内と屋外の明るさの比を算出するステップと、
前記照明効率の時間変化を用いて、照明効率低下の検知と照明効率低下の原因の判定を行うステップと、
を実行することを特徴とする太陽光照明管理方法。
【請求項９】
コンピュータに、
太陽光による屋内照明の照明効率として、屋内と屋外の明るさの比を算出するステップと、
前記照明効率の時間変化を用いて、照明効率低下の検知と照明効率低下の原因の判定を行うステップと、
を実行させるためのプログラム。
【請求項１０】
コンピュータに、
太陽光による屋内照明の照明効率として、屋内と屋外の明るさの比を算出するステップと、
前記照明効率の時間変化を用いて、照明効率低下の検知と照明効率低下の原因の判定を行うステップと、
を実行させるためのプログラムを記録した記録媒体。
【発明の詳細な説明】
【技術分野】
【０００１】
本発明は、太陽光照明の管理を行うための太陽光照明管理装置等に関する。
【背景技術】
【０００２】
環境負荷の少ないクリーンな照明方法として、採光部から採光した太陽光を導光部などを用いて屋内の所望の箇所まで導き、積極的に屋内照明に用いる太陽光照明システムが知られている。
【０００３】
このような太陽光照明システムの管理を行うものとして、特許文献１には、太陽光照明と人工照明を併用する屋内に光センサを設置し、光センサによって検出する照度が所要の値になるように人工照明に供給する電力を制御するシステムが記載されている。
【先行技術文献】
【特許文献】
【０００４】
【特許文献１】特開平０９−２８２９１６号公報
【発明の概要】
【発明が解決しようとする課題】
【０００５】
太陽光照明システムは、採光部等の汚れ、各種部材の経年劣化及び故障等によって得られる照度が低下する場合がある。しかし、特許文献１に示されたシステムでは、照度のモニタリングは成されていても、汚れ等に応じたメンテナンスの必要性の有無は考慮されていない。従って、メンテナンスは利用者の判断に委ねられており、適切なメンテナンスを行うことが難しかった。
【０００６】
本発明は、前述した目的を鑑みてなされたもので、太陽光照明の管理を行い、適切なメンテナンスに資する太陽光照明管理装置等を提供することを目的とする。
【課題を解決するための手段】
【０００７】
前述した課題を解決するための第１の発明は、太陽光による屋内照明の照明効率として、屋内と屋外の明るさの比を算出する照明効率算出部と、前記照明効率の時間変化を用いて、照明効率低下の検知と照明効率低下の原因の判定を行う判定部と、を有することを特徴とする太陽光照明管理装置である。
【０００８】
本発明により、太陽光照明の照明効率を算出し、その推移から、汚れの堆積等を定量的に評価して照明効率低下の検知と原因の判定を行うことができる。これにより、照明効率低下やその原因をユーザに通知等して適切なメンテナンス時期が来たことを知らせることができ、太陽光照明のメンテナンスに役立ち、太陽光照明を継続的に高効率で使用することができる。
【０００９】
照明効率低下の原因に応じて、メンテナンスを行った場合の前記照明効率の上昇幅をメンテナンス効果として算出するメンテナンス効果算出部と、前記メンテナンス効果と前記メンテナンスにかかるメンテナンス費用を表示させる通知部と、を更に有することが望ましい。
これにより、メンテナンスの効果と費用をユーザに通知でき、ユーザによる太陽光照明のメンテナンスに役立つ。
【００１０】
前記判定部は、前記照明効率の時間変化と降雨量の時間変化を用いて、照明効率低下の検知と照明効率低下の原因の判定を行うことが望ましい。
照明効率低下の検知や原因の判定に降雨量を用いることで、雨で落ちるような軽微な汚れをその他の汚れ等と区別できる。
【００１１】
前記判定部は、前記照明効率が一定期間低下し続け、かつ、降雨後に上昇したかを判定することが望ましい。また、前記判定部は、前記照明効率が一定期間低下し続け、かつ、降雨後に上昇しなかったかを判定することが望ましい。さらに、前記判定部は、前記照明効率が所定時間の間に所定幅以上低下したかを判定することが望ましい。
これにより、雨で落ちる軽微な汚れの堆積による照明効率の低下、雨で落ちない汚れの堆積や経年劣化等、雨で回復しない原因による照明効率の低下、システム故障や落ち葉による日陰等に伴う照明効率の低下等を検知でき、ユーザによる太陽光照明のメンテナンスに役立つ。
【００１２】
第２の発明は、屋内と屋外の明るさを計測する明るさ計測装置と、太陽光照明管理装置と、を有し、前記太陽光照明管理装置は、太陽光による屋内照明の照明効率として、屋内と屋外の明るさの比を算出する照明効率算出部と、前記照明効率の時間変化を用いて、照明効率低下の検知と照明効率低下の原因の判定を行う判定部と、を有することを特徴とする太陽光照明管理システムである。
【００１３】
第３の発明は、コンピュータが、太陽光による屋内照明の照明効率として、屋内と屋外の明るさの比を算出するステップと、前記照明効率の時間変化を用いて、照明効率低下の検知と照明効率低下の原因の判定を行うステップと、を実行することを特徴とする太陽光照明管理方法である。
【００１４】
第４の発明は、コンピュータに、太陽光による屋内照明の照明効率として、屋内と屋外の明るさの比を算出するステップと、前記照明効率の時間変化を用いて、照明効率低下の検知と照明効率低下の原因の判定を行うステップと、を実行させるためのプログラムである。
【００１５】
第５の発明は、コンピュータに、太陽光による屋内照明の照明効率として、屋内と屋外の明るさの比を算出するステップと、前記照明効率の時間変化を用いて、照明効率低下の検知と照明効率低下の原因の判定を行うステップと、を実行させるためのプログラムを記録した記録媒体である。
【発明の効果】
【００１６】
本発明により、太陽光照明の管理を行い、適切なメンテナンスに資する太陽光照明管理装置等を提供することができる。
【図面の簡単な説明】
【００１７】
【図１】太陽光照明管理システム１を示す図
【図２】太陽光照明管理装置９のハードウェア構成を示す図
【図３】太陽光照明管理装置９の機能構成を示す図
【図４】太陽光照明管理方法の概略を示すフローチャート
【図５】照明効率αと降雨量Ｒの時間変化を模式的に示す図
【図６】照明効率低下の様子を模式的に示す図
【図７】照明効率低下の検知と照明効率低下の原因の判定を示すフローチャート
【図８】メンテナンス情報の通知を示すフローチャート
【図９】メンテナンス効果の算出について示す図
【図１０】照明効率αの降雨後付近を拡大した図
【図１１】第２の実施形態について示す図
【発明を実施するための形態】
【００１８】
以下、図面に基づいて本発明の実施形態について詳細に説明する。
【００１９】
［第１の実施形態］
（１．太陽光照明管理システム１）
図１を参照して本発明の実施形態に係る太陽光照明管理システム１について説明する。この太陽光照明管理システム１は、太陽光照明システム１０の管理を行うために設けられる。
【００２０】
太陽光照明システム１０は建屋２０に設けられ、外部の太陽光を建屋２０の屋内へと導き屋内照明として利用するものである。太陽光照明システム１０は、採光部１１、導光部１３、散光部１５等を有する。
【００２１】
採光部１１は、例えば内部に反射板等を設けた透明のシェル状部材であり、太陽光を反射させて導光部１３へ導く。ただし採光部１１がこれに限ることはなく、太陽光を導光部１３へ導ければよい。
【００２２】
導光部１３は、採光部１１からの光を屋内まで伝達するものである。導光部１３としては、例えば内部に反射板等を設けた筒状部材が使用されるが、これに限ることはない。光ファイバなども使用可能である。
【００２３】
散光部１５は、導光部１３で伝達された光を、照明として適した光になるように拡散させるものである。散光部１５としては、例えば半透明のガラスやプラスチックからなる拡散板を用いることができるが、これに限ることはない。
【００２４】
太陽光照明管理システム１は、以上のような太陽光照明システム１０の管理を行うために設けられる。太陽光照明管理システム１は、照度計２、４、降雨計５、データロガー７、太陽光照明管理装置９等を有する。
【００２５】
照度計２、４は、それぞれ屋内と屋外の明るさを照度によって計測する明るさ計測装置である。本実施形態では、照度計２が散光部１５の下方に設けられ、太陽光照明による照度を計測する。照度計４は屋外の建屋２０近傍に設けられ、太陽光による照度を計測する。照度計２、４で計測した照度は、それらの比をとることで照明効率の算出に用いられる。なお、明るさ計測装置としては、屋内と屋外の明るさを計測できれば、照度計２、４に限ることはない。
【００２６】
降雨計５は、降雨量を計測する降雨量計測装置である。降雨計５は屋外の建屋２０近傍に設けられる。降雨量計測装置としては、単位時間当たりの降雨量を計測できれば、降雨計５に限ることはない。
【００２７】
照度計２、４、降雨計５は、所定間隔で経時的に計測を行い、計測したデータをデータロガー７に送信する。データロガー７はこれらのデータを取得し、記録する。
【００２８】
太陽光照明管理装置９は、照度計２、４、降雨計５で計測したデータに基づいて、照明効率低下の検知と原因の判定を行うとともに、照明効率低下の原因に応じたメンテナンス情報をユーザへ通知する。
【００２９】
（２．太陽光照明管理装置９）
図２に太陽光照明管理装置９のハードウェア構成の例を示す。太陽光照明管理装置９は、例えば、制御部９１、記憶部９２、メディア入出力部９３、通信制御部９４、入力部９５、表示部９６、周辺機器インタフェース部９７等がバス９８を介して接続された一般的なコンピュータで実現できる。
【００３０】
制御部９１は、ＣＰＵ、ＲＯＭ、ＲＡＭ等で構成される。
ＣＰＵは、記憶部９２、ＲＯＭ、記録媒体等に格納されるプログラムをＲＡＭ上のワークメモリ領域に呼び出して実行し、バス９８を介して接続された各部を駆動制御し、太陽光照明管理装置９の処理を実行する。ＲＯＭは、不揮発性メモリであり、コンピュータのブートプログラムやＢＩＯＳ等のプログラム、データ等を恒久的に保持している。ＲＡＭは、揮発性メモリであり、記憶部９２、ＲＯＭ、記録媒体等からロードしたプログラム、データ等を一時的に保持するとともに、制御部９１が各種処理を行うために使用するワークエリアを備える。
【００３１】
記憶部９２は、ハードディスクドライブ等であり、制御部９１が実行するプログラム、プログラム実行に必要なデータ、ＯＳ等が格納される。プログラムとしては、例えば、後述する手順で照明効率低下の検知と原因の判定を行ったり、メンテナンス情報の通知を行うためのプログラムが格納される。
【００３２】
メディア入出力部９３はデータの入出力を行うものであり、例えばＤＶＤドライブ等のメディア入出力装置を有する。
通信制御部９４は、通信制御装置、通信ポート等を有し、ネットワークを介して他の装置との通信制御を行う。ネットワークは、有線、無線を問わない。
入力部９５はデータの入力を行い、例えば、キーボード、マウス等のポインティングデバイス、テンキー等の入力装置を有する。
【００３３】
表示部９６は、ＣＲＴモニタ、液晶パネル等のディスプレイ装置である。
周辺機器インタフェース部９７は、周辺機器を接続するポートなどである。周辺機器との接続形態は有線、無線を問わない。
バス９８は、各部間の制御信号、データ信号等の授受を媒介する経路である。
【００３４】
図３は太陽光照明管理装置９の機能構成を示す図である。太陽光照明管理装置９は、照明効率算出部９０１、判定部９０２、メンテナンス効果算出部９０３、通知部９０４等を有する。
【００３５】
照明効率算出部９０１は、太陽光照明管理装置９の制御部９１が、下式（１）により、屋内の照度計２で計測した照度Ｅｉと屋外の照度計４で計測した照度Ｅｏとの比を照明効率αとして算出するものである。
α＝Ｅｉ／Ｅｏ…（１）
【００３６】
判定部９０２は、太陽光照明管理装置９の制御部９１が、照明効率αや降雨量の時間変化により、照明効率低下の検知と照明効率低下の原因の判定を行うものである。
【００３７】
メンテナンス効果算出部９０３は、太陽光照明管理装置９の制御部９１が、照明効率低下の原因に応じて、メンテナンスによる照明効率αの上昇幅をメンテナンス効果として算出するものである。
【００３８】
通知部９０４は、太陽光照明管理装置９の制御部９１が、照明効率低下の原因に応じたメンテナンスについて、上記のメンテナンス効果とメンテナンス費用等をメンテナンス情報として表示部９６等に表示させるものである。
【００３９】
また、本実施形態では、記憶部９２に、メンテナンス費用９１１、電気料金９１２等が予め記憶されている。
【００４０】
メンテナンス費用９１１は、太陽光照明システム１０のメンテナンスにかかる費用であり、照明効率低下の原因ごとに、対応するメンテナンスにかかる費用として定められる。
電気料金９１２は、単位電力あたりの料金である。
【００４１】
（３．太陽光照明管理方法の概略）
続いて、太陽光照明管理システム１による太陽光照明管理方法の概略について説明する。図４は太陽光照明管理方法の概略を示すフローチャートであり、図の各ステップは太陽光照明管理装置９の制御部９１によって実行される。
【００４２】
本実施形態では、前記したように照度計２、４、降雨計５によって屋内照度Ｅｉ、屋外照度Ｅｏ、降雨量をそれぞれ計測する。各データは所定間隔で計測され、データロガー７で記録される。太陽光照明管理装置９は、各データをデータロガー７から取得する（Ｓ１）。
【００４３】
太陽光照明管理装置９は、前記した式（１）を用いて、屋内照度Ｅｉと屋外照度Ｅｏの比を照明効率αとして算出する（Ｓ２）。太陽光照明管理装置９は、Ｓ１で取得した降雨量と、Ｓ２で算出した照明効率αから、図５に示すような照明効率αおよび降雨量Ｒの時間変化を記録する。図５は、横軸を時間Ｔ、縦軸を照明効率αおよび降雨量Ｒとし、照明効率αおよび降雨量Ｒの時間変化を模式的に示す図である。
【００４４】
なお、照明効率αの時間変化としては、１日、あるいは１日の所定時間（例えば日中の午前９時から午後５時など）の間の照明効率αの値から日毎の代表値を求め、その変化を記録することが望ましい。これにより、太陽位置の日変化による照明効率αの変化や、照明効率αの瞬間的な異常値の影響を除外できる。上記の代表値としては平均値や中央値などが考えられる。この場合には、降雨量Ｒも、照明効率αに対応して日毎の代表値を記録する。代表値としては、１日の総降雨量などを用いることができる。さらに、必要に応じて照明効率αの時間変化から異常値を省き、異常値の前後の照明効率αから補間等した値をその代わりに記録してもよい。
【００４５】
太陽光照明管理装置９は、照明効率αと降雨量Ｒの時間変化から、照明効率低下の検知と照明効率低下の原因の判定を行う（Ｓ３）。Ｓ３の詳細については後述する。なお、Ｓ３以降の処理を行うタイミングは様々に定められ、例えば２週間毎などとすることができる。
【００４６】
太陽光照明管理装置９は、Ｓ３において照明効率低下を検知しなかった場合（Ｓ４；ＮＯ）、そのまま処理を終了するが、照明効率低下を検知した場合（Ｓ４；ＹＥＳ）、照明効率低下の原因に応じて、メンテナンス情報としてメンテナンス効果とメンテナンス費用等をユーザに通知し（Ｓ５）、処理を終了する。Ｓ５の詳細については後述する。
【００４７】
（４．照明効率低下の検知と照明効率低下の原因の判定）
本実施形態では、照明効率低下の原因として、以下示す３つを主に考慮し、各ケースに対応した照明効率低下の検知を行う。図６は照明効率低下の様子を模式的に示す図であり、縦軸を照明効率α、もしくは照明効率αおよび降雨量Ｒとし、横軸を時間Ｔとしたグラフである。なお、図の「現在」はＳ３の処理を実行するタイミングを示している。
【００４８】
（４−１．システム故障、落ち葉による日陰等）
例えば、太陽光照明システム１０の故障や、落ち葉等により採光部１１に日陰が発生した場合には、図６（ａ）に示すように照明効率の急激な低下が発生する。
【００４９】
（４−２．雨で落ちる軽微な汚れの堆積）
埃など、雨で落ちる軽微な汚れが太陽光照明システム１０の採光部１１に堆積している場合、図６（ｂ）に示すように照明効率αが一定期間低下しつづける。しかし、降雨量Ｒに示すように雨が降ると汚れは除去されて照明効率αが上昇する。
【００５０】
（４−３．雨で落ちない汚れの堆積、経年劣化等）
一方、火山灰など、雨が降っても落ちない汚れが太陽光照明システム１０の採光部１１に堆積していたり、ある程度の経年劣化が太陽光照明システム１０に生じていたりする場合にも、図６（ｃ）に示すように照明効率αが低下しつづける。この場合、降雨量Ｒに示すように雨が降っても照明効率αは上昇しない。
【００５１】
前記のＳ３では、太陽光照明管理装置９が、直近の所定の計測時間の間の照明効率αと降雨量Ｒの時間変化に基づいて、上記のような照明効率低下の検知と照明効率低下の原因の判定を行う。図７は照明効率低下の検知と照明効率低下の原因の判定を示すフローチャートであり、図の各ステップは太陽光照明管理装置９の制御部９１によって実行される。
【００５２】
太陽光照明管理装置９は、照明効率αと降雨量Ｒの時間変化に基づいて、前記の図６（ａ）に示すように、照明効率αが所定時間の間に所定幅以上低下した場合（Ｓ３１；Ｙｅｓ）、システム故障や落ち葉による日陰等による照明効率低下が生じていると判定し（Ｓ３２）、Ｓ３の処理を終了する。上記の所定時間や所定幅は予め設定し、太陽光照明管理装置９の記憶部９２等に記憶しておく。所定時間は例えば１日とする。Ｓ３１においてＮｏの場合は後述するＳ３３の処理に移る。
【００５３】
太陽光照明管理装置９は、前記の図６（ｂ）に示すように、一定期間持続して照明効率αが低下しつづけ、かつ、降雨後において照明効率αが上昇した場合（Ｓ３３；Ｙｅｓ）は、雨で落ちる軽微な汚れの堆積による照明効率低下が生じていると判定し（Ｓ３４）、Ｓ３の処理を終了する。Ｓ３３においてＮｏの場合は後述するＳ３５に移る。
【００５４】
太陽光照明管理装置９は、前記の図６（ｃ）に示すように、一定期間持続して照明効率αが低下しつづけ、かつ、降雨後に照明効率αが上昇しなかった場合（Ｓ３５；Ｙｅｓ）は、雨で落ちない汚れの堆積や経年劣化等による照明効率低下が生じていると判定し（Ｓ３６）、Ｓ３の処理を終了する。Ｓ３５においてＮｏの場合は、照明効率低下はなく正常と判定し（Ｓ３７）、Ｓ３の処理を終了する。
【００５５】
上記した一定期間は予め設定し、太陽光照明管理装置９の記憶部９２等に記憶しておく。降雨後に照明効率αが上昇したかしなかったかの判定も同じく、例えば閾値以上の降雨量Ｒを観測した場合に降雨があったとし、その後に照明効率αが一定幅以上増加していれば降雨後に照明効率αが上昇したと判定でき、そうでなければ降雨後に照明効率αが上昇しなかったと判定できる。この場合の閾値や一定幅も予め設定し、太陽光照明管理装置９の記憶部９２等に記憶しておく。
【００５６】
（４．メンテナンス情報の通知）
次に、上記のＳ５におけるメンテナンス情報の通知について説明する。図８はメンテナンス情報の通知を示すフローチャートであり、図の各ステップは太陽光照明管理装置９の制御部９１によって実行される。
【００５７】
太陽光照明管理装置９は、Ｓ３で判定した照明効率低下の原因に応じて、メンテナンス効果を算出する（Ｓ４１）。メンテナンス効果としては、照明効率低下の原因に応じて、メンテナンスを行った場合の照明効率αの上昇幅を算出する。
【００５８】
本実施形態では、図９（ａ）に示すように、システム故障や落ち葉による日陰などの原因により、照明効率αが急激に低下した場合、メンテナンスによってこの低下分４１が回復するものとする。従って、メンテナンス効果ＭＥとしては、低下分４１を、下式（２）によって照明効率低下前の照明効率α低下前と照明効率低下後の照明効率α低下後の差として算出する。
ＭＥ＝α低下前−α低下後…（２）
【００５９】
また、図９（ｂ）に示すように、雨で落ちる軽微な汚れの堆積によって照明効率αが一定期間低下しつづけ、降雨後に上昇した場合、メンテナンスによって、このような軽微な汚れによる照明効率αの低下分４２が回復し、図９（ｂ）の４３で示す雨で落ちない汚れの堆積や経年劣化等による照明効率αの低下については回復しないとする。従って、メンテナンス効果ＭＥとしては、低下分４２を下式（３）によって算出する。
ＭＥ＝（α降雨後−α降雨前）×（Ｔ現在−Ｔ降雨後）／ΔＴ降雨間隔…（３）
【００６０】
式（３）において、α降雨前は直近の降雨前の照明効率、α降雨後は直近の降雨後の照明効率、Ｔ現在は太陽光照明システム１０の設置時から現在までの経過時間、Ｔ降雨後は太陽光照明システム１０の設置時から直近の降雨後までの経過時間である。また、ΔＴ降雨間隔は直近の降雨時とその前回の降雨時との間の時間とする。
【００６１】
式（３）は、照明効率α降雨後と照明効率α降雨前との差４２’と、ΔＴ降雨間隔とを用いて、ΔＴ降雨間隔の間の軽微な汚れの堆積による照明効率αの低下速度を算出し、これと同じ速度で降雨後から現在まで照明効率αが低下し、この低下分４２がメンテナンスで回復するとしたものである。
【００６２】
また、図９（ｃ）に示すように、雨で落ちない汚れの堆積や経年劣化等により照明効率αが一定期間低下しつづけ、降雨後に上昇しなかった場合、メンテナンスによって、このような雨で落ちない汚れの堆積や経年劣化等による初期値α０からの低下分４４が回復するものとする。初期値α０は例えば太陽光照明システム１０の設置時の照明効率であり、メンテナンス効果としては、低下分４４を下式（４）によって算出する。
ＥＭ＝（α０−α降雨後）×Ｔ現在／Ｔ降雨後…（４）
【００６３】
式（４）では、図９（ｃ）の４４’に示すように一度初期値α０と照明効率α降雨後との差を算出したうえで、これに経過時間Ｔ降雨後と経過時間Ｔ現在との比を乗じて低下分４４を求めている。
【００６４】
低下分４４は単に初期値α０から現在の照明効率αを引いて求めてもよいが、上記の式（４）によって求めることで、微量の軽微な汚れの影響も除外し、雨で落ちない汚れの堆積や経年劣化等による照明効率αの低下を正確に評価することができる。
【００６５】
図１０は、図９（ｃ）の照明効率αの降雨後付近を拡大した図であるが、式（４）において照明効率α降雨後を用いることで、軽微な汚れが降雨により除去され微量にも存在しない時点の値を利用して、図１０の４３に示す雨で落ちない汚れの堆積や経年劣化等による照明効率αの低下を正確に評価することができる。なお、図１０に示す照明効率αの上昇幅は微量であり、前記したＳ３３において降雨後に照明効率αが上昇したと判定されない程度のものである。
【００６６】
図８の説明に戻る。太陽光照明管理装置９は、以上のようにしてメンテナンス効果ＭＥを算出するとともに、Ｓ３で特定した照明効率低下の原因に応じて、メンテナンス費用を取得する（Ｓ４２）。本実施形態では、前記した通り、照明効率低下の原因に応じたメンテナンスにかかるメンテナンス費用が予め記憶部９２に記憶されており、その中から、Ｓ３で判定した原因に応じたメンテナンス費用を取得する。例えば雨によって落ちる軽微な汚れの堆積の場合、その原因に応じたメンテナンスとして、採光部１１等の簡単な清掃にかかる費用が取得される。
【００６７】
最後に、太陽光照明管理装置９は、メンテナンス情報として、Ｓ４１で算出したメンテナンス効果と、Ｓ４２で取得したメンテナンス費用を表示部９６等に表示させ（Ｓ４３）、Ｓ４の処理を終了する。
【００６８】
メンテナンス情報のユーザへの通知方法は種々考えられ、特に限定はされない。本実施形態では、太陽光照明管理装置９の表示部９６に表示する他、太陽光照明管理装置９とネットワーク（不図示）を介して接続された家庭内の端末で表示させてもよい。これらと併せてランプを点灯するなどして警報を発することも可能である。あるいは、太陽光照明管理装置９からユーザの移動端末にメールを送信したりしてもよい。
【００６９】
また、通知するメンテナンス情報としては、上記したメンテナンス効果やメンテナンス費用の他、現在の照明効率及び適当なコメント等を含んでもよい。
【００７０】
コメントとしては、例えばシステム故障や落ち葉による日陰などの原因により、照明効率αが急激に低下した場合には、早急にメンテナンスを行う旨のメッセージ表示等を行う。また、雨で落ちる軽微な汚れの堆積によって照明効率αが低下する場合には、降雨によって照明効率αが回復する旨のメッセージ表示等を行う。この場合、ユーザはメンテナンス費用等や天気予報などを勘案し、メンテナンスを行うのか、あるいは近日の雨によって汚れが落ちるのでメンテナンスを行わないのか等を判断することができる。
【００７１】
その他、太陽光照明と人工照明とを併用して屋内照度を一定に保つようなシステムの場合には、メンテナンスを実施することで照明効率αが上昇する分、人工照明による照度を低下できることにより削減される電気代、費用対効果などをメンテナンス情報に含めてもよい。上記の電気代としては、人工照明の照度低下により削減できるエネルギーを電気料金９１２により費用換算したものを用いることができる。また、費用対効果は、例えば、上記の電気代と前記したメンテナンス費用との比などを用いて算出できる。
【００７２】
以上により、太陽光照明管理システム１によって太陽光照明システム１０の管理が行われ、照明効率低下の検知や照明効率低下の原因の判定、メンテナンス効果やメンテナンス費用などのメンテナンス情報のユーザへの通知等が行われる。
【００７３】
以上説明したように、本実施形態によれば、太陽光照明の照明効率αを算出し、その推移から、汚れの堆積等を定量的に評価して照明効率低下の検知と原因の判定を行うことができる。これにより、照明効率低下やその原因をユーザに通知等して適切なメンテナンス時期が来たことを知らせることができ、太陽光照明のメンテナンスに役立ち、太陽光照明を継続的に高効率で使用することができる。特に本実施形態では、メンテナンス情報としてメンテナンスの効果と費用をユーザに通知でき、ユーザによる太陽光照明のメンテナンスに役立つ。
【００７４】
また、本実施形態では、照明効率αと降雨量Ｒの時間変化を用いて、照明効率低下の検知と照明効率低下の原因の判定を行うので、雨で落ちるような軽微な汚れをその他の汚れ等と区別できるようになる。
【００７５】
例えば、照明効率αが一定期間低下し続け、かつ、降雨後に上昇した場合、雨で落ちるような軽微な汚れの堆積による照明効率低下が生じていると判定できる。また、照明効率αが一定期間低下し続け、かつ、降雨後に上昇しなかった場合、雨で落ちない汚れの堆積や経年劣化等、雨で回復しない原因による照明効率低下が生じていると判定できる。さらに、照明効率αが所定時間の間に所定幅以上低下した場合、システム故障や落ち葉による日陰等に伴う照明効率低下が生じていると判定できる。太陽光照明管理装置９は、これらの原因に応じたメンテナンス情報をユーザに通知でき、ユーザによる太陽光照明のメンテナンスに役立つ。
【００７６】
しかしながら、本発明はこれに限ることはない。例えば、現在の照明効率αを、前年あるいはそれ以前の同時期の照明効率αと比較することにより照明効率αの低下の検知を行うことも可能である。この場合では、季節変化に伴う太陽位置の差異の照明効率αへの影響を除外できる利点がある。この比較は、日単位での比較でもよいが、より広い期間、例えば月単位で比較を行ってもよい。例えば、本年と前年の同月の照明効率αの代表値を比較し、その差が所定幅以上であれば、雨で落ちない汚れの堆積や経年劣化等による照明効率低下が生じていると判定できる。代表値は月間の平均値などでもよいが、期間内の異常値の影響を除外できるとより望ましく、月間の中央値、あるいは異常値を除外した上での平均値などを用いることができる。
【００７７】
さらに、前記のＳ３において雨で落ちない汚れの堆積や経年劣化等により照明効率αが低下していると判定された場合、採光部１１等の状況を確認して雨で落ちない汚れが生じているか否かの入力を促す旨を表示部９６等で表示し、ユーザへの通知を行ってもよい。この場合、Ｓ４２では、ユーザの入力結果に応じて、雨で落ちない汚れの場合と、そうでない場合、すなわち経年劣化の場合とで異なるメンテナンス費用を取得することができる。例えば、雨で落ちない汚れの場合にはメンテナンス費用として採光部１１等の高度な清掃にかかる費用を取得し、経年劣化の場合には、メンテナンス費用として部品交換等にかかる費用を取得する。
【００７８】
あるいは、採光部１１の近傍に雨で落ちない汚れを除去するための洗浄装置を設置しておき、前記のＳ３において雨で落ちない汚れの堆積や経年劣化等により照明効率αが低下していると判定された場合に、太陽光照明管理装置９の制御により上記洗浄装置を稼働させ、採光部１１の洗浄を行ってもよい。この場合、洗浄後に照明効率αが上昇しなければ経年劣化による照明効率αの低下が生じていると判定し、Ｓ４以降の処理を行うことができる。
【００７９】
［第２の実施形態］
第１の実施形態では、太陽光照明管理システム１によって太陽光照明システム１０の管理を行う例を説明したが、管理対象は太陽光照明システム１０に限ることはない。
【００８０】
図１１に、第２の実施形態として、太陽光照明管理システム１による管理対象の別の例を示す。図１１に示す例では、太陽光照明管理システム１により、天窓１８による太陽光照明を第１の実施形態と同様の手順で管理する。この場合も前記と同様、天窓１８への汚れの堆積、天窓１８への落ち葉等による照明効率αの低下などを検知でき、照明効率低下の原因に応じたメンテナンス効果、メンテナンス費用などのメンテナンス情報を通知することで天窓１８のメンテナンスに資することができる。このように、本発明の適用対象は太陽光を照明に利用するものであれば特に限定されない。
【００８１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８２】
１：太陽光照明管理システム
２、４：照度計
５：降雨計
７：データロガー
９：太陽光照明管理装置
１０：太陽光照明システム
１１：採光部 
１３：導光部
１５：散光部
１８：天窓
２０：建屋
【図１】
2015130296.tif 000003
【図２】
2015130296.tif 000004
【図３】
2015130296.tif 000005
【図４】
2015130296.tif 000006
【図５】
2015130296.tif 000007
【図６】
2015130296.tif 000008
【図７】
2015130296.tif 000009
【図８】
2015130296.tif 000010
【図９】
2015130296.tif 000011
【図１０】
2015130296.tif 000012
【図１１】
2015130296.tif 000013